(57)【要約】【課題】簡易な構成でハンドルノブに対して着脱が容易に行なえると共に、脱落し難くした注油用キャップを具備するハンドルを装着した魚釣用リールを提供する。【解決手段】本発明の魚釣用リールは、掌で握持保持され、注油用キャップ２０を具備したハンドルノブ１５を回転自在に抜け止め支持したハンドル１０が、リール本体の巻取り駆動機構に連結されている。そして、注油用キャップ２０は、ハンドルノブ１５の開口部に嵌合されて開口部を閉塞すると共に、注油用キャップ２０とハンドルノブ１５との間に弾性部材２１を設け、その弾性摩擦力で注油用キャップ２０をハンドルノブ１５内に保持したことを特徴とする。【選択図】　　図２
2004121176.tif 000002
【特許請求の範囲】
【請求項１】
掌で握持保持され、注油用キャップを具備したハンドルノブを回転自在に抜け止め支持したハンドルが、リール本体の巻取り駆動機構に連結される魚釣用リールにおいて、
前記注油用キャップは、ハンドルノブの開口部に嵌合されて開口部を閉塞すると共に、注油用キャップとハンドルノブとの間に弾性部材を設け、その弾性摩擦力で前記注油用キャップをハンドルノブ内に保持したことを特徴とする魚釣用リール。
【請求項２】
前記弾性部材は、注油用キャップの嵌合部外周に巻着されるゴム製の環状部材であることを特徴とする請求項１に記載の魚釣用リール。
【発明の詳細な説明】
【０００１】
【発明の属する技術分野】
本発明は、リール本体の巻取り駆動機構に連結されて回転操作されるハンドル部分に特徴を有する魚釣用リールに関する。
【０００２】
【従来の技術】
従来、魚釣用リールに装着されているハンドルは、リール本体の巻取り駆動機構に連結される連結部とアーム部（ハンドルアーム）、及び掌に握持保持されるハンドルノブによって構成されており、このハンドルノブは、操作性を高めるために、ハンドルアームに固定された支軸に軸受を介して回転可能に支持されている。
【０００３】
通常、魚釣用リールは、屋外の海水、水、異物等が付着・浸入し易い使用環境の厳しい釣場で使用されるため、釣行前或いは釣行後に駆動部分（回転部分、スライド部分等）を清掃したり注油したりして、実釣時に良好な作動が維持できるように定期的にメンテナンスされる。
【０００４】
上記したハンドルアームの支軸に回転自在に抜け止め支持されるハンドルノブについても、実釣時に良好な回転性を維持するために、ハンドルノブの軸受部の清掃或いは注油が可能なように構成したものがあり、例えば、特許文献１に開示されているように、ハンドルノブの軸受部外側を着脱可能な注油用キャップで閉塞する構成が知られている。この注油用キャップは、螺着手段によって、又は係止段部を形成し、そこに弾性係止させることによってハンドルノブに対して軸方向に抜け止めされている。
【０００５】
【特許文献１】
特開平８−１９６１７２号公報（図２、図４、［００１３］及び［００１６］参照）。
【０００６】
【発明が解決しようとする課題】
しかし、上記したように、注油用キャップを螺着手段で抜け止めする場合は、ネジ切り加工によるコストアップや、海水、異物或いは魚のヌメリ等が螺着部に付着して注油用キャップが固着し易い等の問題がある。また、合成樹脂材（金属材の場合、着脱が不可）の注油用キャップを軸方向に弾性係止（係止段部を形成する）させて抜け止めする場合は、使用環境の温度変化により、注油用キャップの係止外径が小さくなって抜け止め係止力が低下し、握持操作中や携帯・移動中の振動等の影響により、注油用キャップが脱落してしまう問題がある。
【０００７】
本発明は、上述した問題に基づいて成されたものであり、簡易な構成でハンドルノブに対して着脱が容易に行なえると共に、脱落し難くした注油用キャップを具備するハンドルを装着した魚釣用リールを提供することを目的とする。
【０００８】
【課題を解決するための手段】
上記した課題を解決するために、本発明に係る魚釣用リールは、掌で握持保持され、注油用キャップを具備したハンドルノブを回転自在に抜け止め支持したハンドルが、リール本体の巻取り駆動機構に連結される構成において、前記注油用キャップは、ハンドルノブの開口部に嵌合されて開口部を閉塞すると共に、注油用キャップとハンドルノブとの間に弾性部材を設け、その弾性摩擦力で前記注油用キャップをハンドルノブ内に保持したことを特徴とする。
【０００９】
上記した構成によれば、注油用キャップは、ハンドルノブの開口部内に嵌合される。この場合、嵌合された注油用キャップには、弾性部材によって、ハンドルノブとの間で径方向に弾性摩擦力が作用するため、その弾性摩擦力によって注油用キャップは、ハンドルノブに対して抜け止め保持される。また、温度変化が生じて注油用キャップが寸法変化しても、その寸法変化分は、弾性部材によって吸収されるため、注油用キャップはハンドルノブ内に安定して保持され、脱落が防止される。
【００１０】
なお、上記した弾性部材は、注油用キャップ側に設けられたものや、これに一体成形されたものであっても良く、或いはハンドルノブ側に設けられたものや、これに一体成形されたものであっても良い。
【００１１】
【発明の実施の形態】
図１乃至図３は、本発明の一実施形態を示す図であり、図１は、魚釣用リール（スピニングリール）の全体的な構成を示す図、図２は、図１に示すスピニングリールにおいて、ハンドルノブの内部構造を拡大して示す図、そして、図３は、図２に示すハンドルノブの注油用キャップ（以下、キャップと称する）の嵌合部分を拡大して示す図である。
【００１２】
本実施形態に係るスピニングリール１は、図１に示すように、釣竿Ｒに取り付けられて使用されるのであり、このスピニングリール１は、リール本体３に前後動可能に支持されたスプール５と、スプール５の回りを回転する釣糸案内部７を具備したロータ８とを備えている。そして、リール本体３に回転可能に支持されたハンドル１０を回転駆動することにより、ハンドル１０に連結された巻取り駆動機構（図示せず）を介して、スプール５が前後往復動され、かつロータ８が回転駆動されて、スプール５には、釣糸案内部７を介して釣糸が巻回保持される。
【００１３】
前記ハンドル１０は、巻取り駆動機構に連結されるハンドル軸に回り止め固定されたハンドルアーム１１と、ハンドルアーム１１の端部にカシメ等によって固定された支軸１２に対し、一対の軸受１３ａ，１３ｂを介して回転可能で、抜け止め支持されたハンドルノブ１５とを備えて構成されている。
【００１４】
このハンドルノブ１５は、本体１５ａと、支軸１２を囲繞するように形成された筒軸１５ｂと、本体１５ａ及び筒軸１５ｂを被覆する外装１５ｃによって構成されており、これらは、樹脂等によって一体成形されている。なお、本体１５ａは、コルク、発泡材等によって形成されていても良い。
【００１５】
前記軸受１３ａ，１３ｂは、支軸１２と筒軸１５ｂとの間に軸方向に抜け止めされた状態で配設されており、軸受１３ｂは、筒軸１５ｂの端部に螺入される止めビス１７によって保持されている。
【００１６】
筒軸１５ｂの端部は開口しており、この部分には、樹脂等によって成形された円筒状のキャップ２０が嵌合されるようになっている。このキャップ２０の円筒外壁２０ａには、環状溝２０ｂが形成されており、ここにゴム等によって形成されたＯ状の弾性部材２１が巻着されている。また、キャップ２０の頭部には、貫通孔２０ｃが形成されており、ここに棒状部材を挿入して、キャップ２０が取外せるようになっている。
【００１７】
上記した構成によれば、キャップ２０を取外すことで、軸受部分に対して注油することが可能となり、メンテナンス後にキャップ２０をハンドルノブ１５の開口部内に嵌合することで開口部は閉塞される。この際、キャップ２０に巻着された弾性部材２１が筒軸１５ｂの周面に当て付き、径方向に弾性摩擦力が作用するため、キャップ２０は、ハンドルノブに対して抜け止め保持される。また、温度変化が生じてキャップ２０が寸法変化しても、その寸法変化分は、弾性部材２１によって吸収されるため、キャップ２０はハンドルノブ内に安定して保持され脱落が防止される。更に、上記した構成では、キャップ２０とハンドルノブ１５とは、螺合するような構成でないことから、海水、異物或いは魚のヌメリ等が螺合部に付着して、キャップ２０が固着するようなこともなく、簡易に構成できることから低コスト化が図れる。
【００１８】
また、この実施形態におけるキャップ２０は、円筒外壁２０ａの外周に環状溝２０ｂを形成して弾性部材２１（ゴム製のＯリング）を巻着しているため、弾性部材２１の位置が安定するようになり、キャップを開口部内に嵌入するに際し、組み込み性が良いと共に、ハンドルノブ内でのキャップ２０の保持状態も安定する。
【００１９】
上記したキャップ２０とハンドルノブ１５との間に設けられる弾性部材の構成やその配設方法（嵌合手段）については種々変形することが可能である。例えば弾性部材をハンドルノブ側に設けたり、或いは、いずれかの部材に一体成形する等、適宜変形することが可能である。
【００２０】
図４は、上述した嵌合手段の第１の変形例を示す図である。
この変形例は、筒軸１５ｂの内周面に環状溝１５ｄを形成し、ここにキャップ２０に巻着された弾性部材２１が保持できるように構成したものである。このような構成によれば、キャップ２０の保持状態がより安定するようになる。
【００２１】
図５は、上述した嵌合手段の第２の変形例を示す図である。
この変形例は、筒軸１５ｂの内周面に環状溝１５ｄを形成し、ここに弾性部材２１を巻着したものである。このような構成においても、キャップ２０を開口部に嵌合した際、弾性部材２１がキャップ２０の円筒外壁２０ａに当て付き、径方向に弾性摩擦力が作用するため、キャップ２０は、上記実施形態同様、ハンドルノブに対して抜け止め保持される。
【００２２】
図６は、上述した嵌合手段の第３の変形例を示す図である。
この変形例は、キャップ２０の円筒外壁２０ａに、軸方向に沿って一対の割り溝２０ｄを所定間隔おいて複数形成（例えば、９０°間隔）すると共に、一対の割溝先端に、径方向に突出する当接部２０ｅを形成したものである。当接部２０ｅは、筒軸１５ｂの内径よりも若干大きく形成されており、キャップ２０を嵌合した際、径方向内側に弾性変形しながら、筒軸１５ｂの内壁に当て付き、径方向に弾性摩擦力が作用するようになっている。このように、弾性部材は、別部材として、キャップ２０や筒軸１５ｂに設けられるものではなく、いずれかの部材（キャップ又はハンドルノブ）に一体成形された構成であっても良い。
【００２３】
以上、本発明の実施形態について説明したが、本発明は、スピニングリール以外にも、両軸受型リール等、各種の魚釣用リールに適用することが可能である。
【００２４】
【発明の効果】
以上、本発明によれば、簡易な構成でハンドルノブに対して着脱が容易に行なえると共に脱落し難くした注油用キャップを具備するハンドルを装着した魚釣用リールが得られる。
【図面の簡単な説明】
【図１】本発明の一実施形態を示す図であり、魚釣用リール（スピニングリール）の全体的な構成を示す図。
【図２】図１に示すスピニングリールにおいて、ハンドルノブの内部構造を拡大して示す図。
【図３】図２に示すハンドルノブの注油用キャップの嵌合部分を拡大して示す図。
【図４】注油用キャップの嵌合手段の第１変形例を示す図。
【図５】注油用キャップの嵌合手段の第２変形例を示す図。
【図６】注油用キャップの嵌合手段の第３変形例を示す図。
【符号の説明】
３　リール本体
１０　ハンドル
１５　ハンドルノブ
２０　注油用キャップ
２１　弾性部材
【図１】
2004121176.tif 000003
【図２】
2004121176.tif 000004
【図３】
2004121176.tif 000005
【図４】
2004121176.tif 000006
【図５】
2004121176.tif 000007
【図６】
2004121176.tif 000008